(57)【特許請求の範囲】
【請求項１】
濾過装置であって、
チューブ状圧力容器と、
前記チューブ状圧力容器内に収容されたチューブ状フィルタアセンブリと、
を有し、
前記チューブ状フィルタアセンブリは、フィルタエレメントと、前記チューブ状フィルタアセンブリの端部に組み付けられ、前記フィルタエレメントの最外面を越えて半径方向に延びるブラインシールと、を有し、
前記ブラインシールは、分割部分をその中に有する環状体を有し、前記環状体は、第１の端部と、前記第１の端部とは反対側の第２の端部と、を有しており、前記第１及び第２の端部は、第１の直径を有する第１の位置と第２の直径を有する第２の位置との間で移動可能なスプリットリングシールを形成するように、互いに相互係合可能であり、
前記スプリットリングシールは、その環状の形状を保つように十分に硬く、且つ、前記スプリットリングシールが前記チューブ状フィルタアセンブリの外周の周囲で倒れることによる組み付けのために曲がることを可能にすると共に、前記チューブ状フィルタアセンブリと前記チューブ状圧力容器との間の環状のギャップを塞ぐように半径方向外側に弾性変形するべく付勢されるのに十分な弾力性を有するポリマーで形成される濾過装置。
【請求項２】
前記スプリットリングシールは、前記チューブ状フィルタアセンブリから半径方向外側に延びるように構成されており、前記チューブ状圧力容器の内面から離間されている請求項１に記載の濾過装置。
【請求項３】
前記スプリットリングシールは、前記濾過装置を通過する全体の流体流量の約５．０％までが通過できるのに十分な環状のギャップを形成するように、前記チューブ状圧力容器の内面から離間されている請求項２に記載の濾過装置。
【請求項４】
前記環状体は更に、平面状の内面と、凸面状の外面と、を有する請求項１に記載の濾過装置。
【請求項５】
前記第１の端部は、前記第２の端部の第２の面と実質的に対向する第１の面を有し、前記第１の面から第１のフランジが延び、前記第２の面から第２のフランジが延び、前記第１のフランジが前記第２のフランジと摺動可能に係合する請求項１に記載の濾過装置。
【請求項６】
前記第１及び第２のフランジの一方が、前記第１及び第２の面の一方から離間されて、前記環状体の長手方向軸と平行な方向に前記環状体を貫通して延びる開口部を画成している請求項５に記載の濾過装置。
【請求項７】
前記第１の端部は、前記第２の端部の第２の面と実質的に対向する第１の面を有し、前記第１の面は溝を有し、前記第２の面は舌部を有し、前記第２の面から延びる前記舌部が前記溝内に受容される請求項１に記載の濾過装置。
【請求項８】
前記第１の面は、前記第２の面から離間されて、前記環状体の長手方向軸と平行な方向に前記環状体を貫通して延びる開口部を画成している請求項７に記載の濾過装置。
【請求項９】
前記チューブ状フィルタアセンブリは更に、前記スプリットリングシールを受容するために前記チューブ状フィルタアセンブリの端部に隣接して周方向のグランドを有する請求項１に記載の濾過装置。
【請求項１０】
前記周方向のグランドは、前記環状体の長手方向軸を通って延びる平面に沿ったＵ字形状の断面を有し、前記Ｕ字形状の断面は、
半径方向外側に延びる第１の壁部と、
前記第１の壁部から離間され、半径方向外側に延びる第２の壁部と、
を有し、
前記スプリットリングシールは、前記第１の壁部及び前記第２の壁部の少なくとも一方から離間されている請求項９に記載の濾過装置。
【請求項１１】
前記ポリマーは、ポリプロピレン、超高分子量ポリエチレン、ポリフェニレンオキシド、ポリカーボネート、ポリスチレン、ポリ塩化ビニル、アクリロニトリル・ブタジエン・スチレン、スチレン・アクリロニトリル、ポリエチレンテレフタレート、メラミンホルムアルデヒド及びこれらの組み合わせから成る群から選択される請求項１に記載の濾過装置。
【請求項１２】
前記スプリットリングシールは、殺生剤を含む請求項１に記載の濾過装置。
【請求項１３】
前記チューブ状フィルタアセンブリは更にグランドを有し、前記スプリットリングシールは、前記グランド内に取り付けられ、前記グランドから延びるように半径方向外側に付勢されている請求項１に記載の濾過装置。
【請求項１４】
前記ポリマーは、Ｄ又はそれより高いショア硬さを有する請求項１に記載の濾過装置。
【請求項１５】
らせん状に巻かれたエレメントのためのアンチテレスコーピングデバイスであって、
円筒体であって、前記円筒体を囲むグランドを有し、前記グランドが、前記アンチテレスコーピングデバイスの長手方向軸と実質的に平行な第１の面と、前記第１の面から半径方向外側に延びる第１の壁部と、前記第１の面から半径方向外側に延び、前記第１の壁部から離間されている第２の壁部と、を有する円筒体と、
前記グランド内に配置されたブラインシールであって、前記グランドから半径方向外側に延びており、環状体を有し、前記環状体が、外側面と、前記外側面とは反対側の内側面と、を有し、
前記ブラインシールは、その環状の形状を保つように十分に硬く、且つ、前記ブラインシールが前記グランドの前記第１の面の周囲で倒れることによる組み付けのために曲がることを可能にすると共に、前記グランドの前記第１の面と前記アンチテレスコーピングデバイスがその中に挿入されるチューブ状圧力容器との間の環状のギャップを塞ぐように半径方向外側に弾性変形するべく付勢されるのに十分な弾力性を有するポリマーで形成され、
前記ブラインシールは、分割部分をその中に有する環状体を有し、前記環状体は、第１の端部と、前記第１の端部とは反対側の第２の端部と、を有しており、前記第１及び第２の端部は、第１の直径を有する第１の位置と第２の直径を有する第２の位置との間で移動可能なスプリットリングシールを形成するように、互いに相互係合可能であるアンチテレスコーピングデバイス。
【請求項１６】
（ｉ）前記ブラインシールの前記外側面は、前記グランドの前記第１の壁部から離間されているか、（ｉｉ）前記ブラインシールの前記内側面は、前記グランドの前記第２の壁部から離間されているかの少なくともどちらかである請求項１５に記載のアンチテレスコーピングデバイス。
【請求項１７】
前記ポリマーは、ポリプロピレン、超高分子量ポリエチレン、ポリフェニレンオキシド、ポリカーボネート、ポリスチレン、ポリ塩化ビニル、アクリロニトリル・ブタジエン・スチレン、スチレン・アクリロニトリル、ポリエチレンテレフタレート、メラミンホルムアルデヒド及びこれらの組み合わせから成る群から選択される請求項１５に記載のアンチテレスコーピングデバイス。
【請求項１８】
前記ブラインシールは、殺生剤を含む請求項１５に記載のアンチテレスコーピングデバイス。
【請求項１９】
前記ブラインシールは、環状のギャップを形成する前記チューブ状圧力容器の内面から離間されている請求項１５に記載のアンチテレスコーピングデバイス。
【請求項２０】
前記ブラインシールは、濾過装置の長手方向軸に沿った前記濾過装置の全体の断面積の約１．５％まで前記内面から離間されている請求項１９に記載のアンチテレスコーピングデバイス。
【請求項２１】
前記ポリマーは、Ｄ又はそれより高いショア硬さを有する請求項１５に記載のアンチテレスコーピングデバイス。
【発明の詳細な説明】
【技術分野】
【０００１】
本発明は、一般には、水の濾過装置に関する。具体的には、本発明は、バイパスを備えたブラインシールを有するクロスフロー水濾過装置に関する。本発明を適用可能なフィルタは、逆浸透フィルタ、限外濾過フィルタ、ナノ濾過フィルタ及び精密濾過フィルタを含む。
【背景技術】
【０００２】
従来技術の典型的なフィルタ装置（濾過装置）１０００（図１及び図２）は、チューブ状圧力容器１００４内に収容された１つ以上のチューブ状フィルタアセンブリ１００２を有する。このようなチューブ状フィルタアセンブリは、らせん状に巻かれた逆浸透フィルタ又は限外濾過フィルタなどの、交換可能なフィルタエレメントを有する。典型的なチューブ状フィルタアセンブリ１００２は、様々なサイズ、例えば直径４、６、８及び１６インチ（１０．１６、１５．２４、２０．３２及び４０．６４ｃｍ）で製造される。図１に示すように、動作中は、チューブ状フィルタアセンブリは、供給水及びブライン水（塩水、濃縮水）と清浄な浸透水との混合を防ぐために、加圧された状態でチューブ状圧力容器内に収容される。チューブ状フィルタアセンブリの有効性を維持するため、及びフィルタ装置のコストを可能な限り低く保つために、各チューブ状フィルタアセンブリは、単一のチューブ状圧力容器内で一緒に直列に接続される。チューブ状フィルタアセンブリは、各チューブ状フィルタアセンブリ１００２の端部に、ブラインシール１００６を有する。
【０００３】
供給水をフィルタ装置１０００のフィルタエレメント内へと向けるために、及び供給流がチューブ状フィルタアセンブリを迂回することを防ぐために、チューブ状フィルタアセンブリ１００２上にブラインシール１００６が必要である。このようなブラインシール１００６は、チューブ状フィルタアセンブリ１００２とチューブ状圧力容器１００４との間での供給液の迂回を防ぐために、チューブ状フィルタアセンブリの各端部、好ましくは、該チューブ状フィルタアセンブリの供給側で該チューブ状フィルタアセンブリのアンチテレスコーピングデバイス（ａｎｔｉ−ｔｅｌｅｓｃｏｐｉｎｇ  ｄｅｖｉｃｅ：ＡＴＤ）の周囲に取り付けられる。ブラインシールは、典型的には、供給液がブラインシールに流入する際に、伸びるか又は膨張して水密シールを形成するように設計される。このようなブラインシールは、チューブ状圧力容器の内径と、ブラインシール又はチューブ状フィルタアセンブリの外径との間のわずかな許容差を調節するために、軟質ゴム材料で形成される。
【０００４】
従来のブラインシールを有するチューブ状フィルタアセンブリは、チューブ状圧力容器に対して単一の方向に挿入して通過させることができるだけであるため、従来のブラインシールの構成には問題がある。そのため、単一のチューブ状フィルタアセンブリを交換する必要がある場合、その交換のために、単一の圧力容器内におけるその問題のあるチューブ状フィルタアセンブリの移動方向の前方の一連のチューブ状フィルタアセンブリ全体を取り外す必要がある。加えて、従来のゴム製のブラインシールは、フィルタアセンブリをチューブ状圧力容器内に又はチューブ状圧力容器外に引っ張る際又は押す際に、かなりの量の摩擦を生じる。従って、チューブ状フィルタアセンブリがかなり重い場合、例えば直径１６”（４０．６４ｃｍ）のフィルタアセンブリの場合、チューブ状フィルタアセンブリの除去が困難になる。
【０００５】
又、従来のブラインシールは、概して、Ｕ字カップ状（Ｕ−ｃｕｐ）のブラインシール１００６として構成される。Ｕ字カップ状のブラインシール１００６は、供給流の方向に向いている「Ｕ」字状の底部を有する。そのため、Ｕ字カップ状のブラインシールは、供給液の流れ方向には、容易な移動を可能にする。即ち、チューブ状フィルタアセンブリが、供給流方向に移動されると、Ｕ字カップ状のブラインシールは、それ自体の上に自然に折り重なる。しかし、チューブ状フィルタアセンブリ１００２が反対方向に引っ張られた場合には、Ｕ字カップ状のブラインシールは開いて、一層大きな摩擦を生成し、供給流方向とは反対方向への動きに対する抵抗をもたらすことになる。この問題のため、多くのプラントは、供給側から圧力容器を装填し、そしてチューブ状圧力容器のブライン側からチューブ状フィルタアセンブリを取り除く。しかしながら、このことは、チューブ状圧力容器の両端部の周囲における、この種の作業に対応するためのプラントの床面積に対するより大きな必要性をもたらす。
【０００６】
更に、従来のゴム製のブラインシールは、チューブ状フィルタアセンブリがチューブ状圧力容器内で効率良く摺動できるようにするために、滑りやすくする（潤滑剤を塗る）必要がある。しかしながら、そのような潤滑剤は、フィルタアセンブリのフィルタエレメントを有害に汚染する可能性がある。
【０００７】
その上、従来のブラインシールの真後ろの領域は、乱流の条件にさらされない。そのため、ブラインシールの背後の流体の停滞した（淀んだ）性質は、生物付着成長の形成を可能にし、これがフィルタ装置の動作にとって有害になる。
【０００８】
従って、単一の端部の周囲で圧力容器に装填し且つ圧力容器から取り外すことのできるフィルタアセンブリに対する必要性、多数のフィルタアセンブリの取り付け及び／又は取り外しに必要な物理的な力の量を減らし且つ潤滑剤の使用をなくせるブラインシールを有するフィルタアセンブリに対する必要性が、いまだに存在する。
【発明の概要】
【０００９】
第１の態様において、本発明は、チューブ状圧力容器（管状圧力容器）と、チューブ状フィルタアセンブリ（管状濾過器組立部品）と、を有する濾過装置を提供する。チューブ状フィルタアセンブリは、チューブ状圧力容器内に収容される。チューブ状フィルタアセンブリは、フィルタエレメント（濾材）と、スプリットリングシール（分割リング封止体）と、を有する。スプリットリングシールは、フィルタエレメントを囲み（外接し）、そして硬質ポリマーで形成された環状体を有する。環状体は、第１の端部と、第１の端部とは反対側の、第１の端部と摺動（滑動）可能に係合された第２の端部と、環状体の長手方向軸と実質的に平行な方向に環状体を貫通して延びる開口部と、を有する。
【００１０】
第２の態様においては、本発明は、円筒体と、ブライン（塩水）シールと、を有する、らせん状に巻かれたエレメント（らせん巻き要素）のためのアンチテレスコーピングデバイス（入れ子防止装置）を提供する。円筒体は、該円筒体を囲むグランド（封止体押さえ）を有する。ブラインシールは、グランド内に配置され、グランドから半径方向外側に延びている。又、ブラインシールは、外側面と、外側面とは反対側の内側面と、外側面から内側面までの流体連通を可能にするようにブラインシールを貫通して延びる開口部と、を有する環状体を有する。
【００１１】
第３の態様において、本発明は、チューブ状圧力容器と、チューブ状フィルタアセンブリと、を有する濾過装置を提供する。チューブ状圧力容器は、外面と、内面と、を有する。チューブ状フィルタアセンブリは、チューブ状圧力容器内に収容され、フィルタエレメントと、ブラインシールと、を有する。ブラインシールは、フィルタエレメントを囲み、硬質ポリマーで形成された環状体を有する。ブラインシールは、チューブ状圧力容器の内面から離間されている。
【００１２】
上述の概要及び本発明の好適な実施形態に関する以下の詳細な説明は、添付の図面と共に読むことでより良く理解されるであろう。本発明を説明するために、図面には現時点で好適な本発明の実施形態が示されている。しかし、本発明は、図示されている正確な構成及び手段に限定されないことを理解されたい。
【図面の簡単な説明】
【００１３】
【図１】図１は、複数のフィルタアセンブリが圧力容器内に取り付けられた従来のフィルタ装置の部分側断面図である。
【図２】図２は、フィルタアセンブリに組み付けられた従来のＵ字形状のブラインシールの部分斜視図である。
【図３】図３は、本発明の第１の態様によるフィルタ装置の部分側断面図である。
【図３Ａ】図３Ａは、図３のフィルタ装置のフィルタエレメントの細部の部分拡大側断面図である。
【図４Ａ】図４Ａは、図３のフィルタ装置のアンチテレスコーピングデバイスの一実施形態の正面図である。
【図４Ｂ】図４Ｂは、図４Ａのアンチテレスコーピングデバイスの側断面図である。
【図４Ｃ】図４Ｃは、本発明の一実施形態によるブラインシールと共に組み立てられた図４Ａのアンチテレスコーピングデバイスの側断面図である。
【図４Ｄ】図４Ｄは、図４Ｃのアンチテレスコーピングデバイスの部分拡大側断面図である。
【図５Ａ】図５Ａは、本発明の第１の態様によるスプリットリングシールの正面図である。
【図５Ｂ】図５Ｂは、図５Ａのスプリットリングシールの部分拡大側面図である。
【図５Ｃ】図５Ｃは、図５Ａのスプリットリングシールの側面図である。
【図５Ｄ】図５Ｄは、図５Ｃのスプリットリングシールの部分拡大側面図である。
【図６】図６は、本発明の他の態様によるスプリットリングシールの部分拡大斜視図である。
【図７】図７は、本発明の更に他の態様によるスプリットリングシールの部分拡大斜視図である。
【図８Ａ】図８Ａは、本発明の他の態様によるアンチテレスコーピングデバイスの他の実施形態の正面図である。
【図８Ｂ】図８Ｂは、図８Ａのアンチテレスコーピングデバイスの側断面図である。
【図８Ｃ】図８Ｃは、本発明の一実施形態によるブラインシールと共に組み立てられた図８Ａのアンチテレスコーピングデバイスの側断面図である。
【発明を実施するための形態】
【００１４】
図３を参照すると、第１の態様において、本発明は、圧力容器１２と、フィルタアセンブリ１４と、スプリットリングシール１６と、を有する濾過装置１０を提供する。圧力容器１２は、好ましくは、両端部が圧力容器のインレット（入口、流入口）及びアウトレット（出口、排出口）を形成するチューブ状圧力容器である。フィルタアセンブリ１４は、好ましくは、チューブ状圧力容器１２内に収容され、そのチューブ状圧力容器１２のインレット端部１１を通してチューブ状圧力容器１２内に挿入されるチューブ状フィルタアセンブリである。チューブ状圧力容器は当技術分野において公知であるため、その構造及び動作の詳細な説明は、本発明の完全な理解にとって必要ではない。しかし、例示的なチューブ状圧力容器は、例えば、カリフォルニア州  ビスタのべカルト（Ｂｅｋａｅｒｔ）社、ミネソタ州  ミネアポリスのペンティア（Ｐｅｎｔａｉｒ）社、及びイスラエル  ベールシェバのベル・コンポジット（Ｂｅｌ  Ｃｏｍｐｏｓｉｔｅ）社によって製造されたものを含む。
【００１５】
チューブ状フィルタアセンブリ１４は、フィルタエレメント１５（図３Ａ）と、スプリットリングシール１６と、を有する。フィルタエレメント１５は、逆浸透フィルタ、限外濾過フィルタ、ナノ濾過フィルタ、又は精密濾過フィルタなどの任意のウォーターフィルタエレメント（水濾し器）とすることができる。このようなチューブ状フィルタエレメントは、当技術分野において公知であり、従ってそれらの構造及び機能の詳細な説明は、本発明の完全な理解にとって必要ではない。しかし、フィルタアセンブリ１４の例示的なフィルタエレメントは、米国特許出願公開第２００９／０３１４７１３号公報に記載されており、その開示全体は参照によって本願明細書に組み込まれる。
【００１６】
又、チューブ状フィルタアセンブリ１４は、チューブ状フィルタアセンブリの両端部の周囲に、アンチテレスコーピングデバイス（ＡＴＤ）１８（図３Ａ及び図４Ａから図４Ｄ）を有する。ＡＴＤ１８は、概して、図４Ａから図４Ｄに示すように構成されており、チューブ状フィルタエレメントを締めくくるように、そしてらせん状に巻かれたチューブ状フィルタエレメントなどにおいて起きる可能性のある、チューブ状フィルタエレメントのどのようなテレスコーピング（入れ子になってはまり込むこと）も防ぐように、フィルタエレメントの端部の周囲においてフィルタエレメント１５に取り付けられる。
【００１７】
ＡＴＤ１８は、好ましくは、図４Ａに示すように、円筒状の部材（円筒体）１８ａと、「スポークアンドホイール（輪止めと車輪）」構造と、を有するディスク状（円盤状）形状を有するように形成される。中心開口部１８ｂは、中心長手方向軸Ａ（図４Ｂ参照）と平行な方向にＡＴＤを貫通して延びている。中心開口部１８ｂは、外側面１８ｃから内側面１８ｄまで延びている。
【００１８】
又、ＡＴＤ１８は、円筒体１８ａを囲む、周方向のグランド２０を有する。ＡＴＤは、グランド２０がフィルタアセンブリの端部に隣接するように、フィルタアセンブリ１４の端部に結合する。グランド２０は、ＡＴＤの長手方向軸Ａと実質的に平行な第１の面２２を有する。第１の面２２は、グランドの外部表面も画成する。又、グランドは、第１の面２２からそれぞれ半径方向外側に延びる第１の壁部２４と第２の壁部２６とを有する。第１の壁部２４は、第２の壁部２６から離間されている。概して、グランド２０は、ＡＴＤ又はスプリットリングシールの長手方向軸を通って延びる平面に沿って見た場合に実質的にＵ字形状の断面を有するように構成される。グランドは、概して、図３Ａ及び図４Ｃに最も良く図示されているように、スプリットリングシール１６を収容して受け容れるようなサイズとされて構成される。
【００１９】
スプリットリングシール１６は、図５Ａから図５Ｄに最も良く図示されているように構成される。好ましくは、スプリットリングシール１６は、チューブ状フィルタアセンブリ１４の全体の複雑さを低減するように、単一の構造として形成される。スプリットリングシール１６は、実質的に環状の部材（環状体）２８を有する。環状体２８は、平面状の（平坦な）内面３０と、凸面状の外面３２と、外側面３３ａと、内側面３３ｂと、を有する。好ましくは、スプリットリングシールの外側面３３ａ及び内側面３３ｂの少なくとも一方は、ＡＴＤの第１の壁部２４又は第２の壁部２６のいずれかから離間されている。より好ましくは、スプリットリングシールの外側面３３ａ及び内側面３３ｂは両方とも、それぞれ第１の壁部２４及び第２の壁部２６から離間されている。スプリットリングシール１６を第１及び／又は第２の壁部２４、２６から離間させることは、好都合にも、供給液が、グランドに沿って及びグランドの周囲で流れることを可能にする。
【００２０】
凸面状の外面３２は、好都合にも、フィルタアセンブリ１４が、チューブ状圧力容器１２からいずれの方向にも、即ち、供給流方向又は供給流方向とは反対方向のどちらにも、挿入され又は取り外されることを可能にする。又、スプリットリングシールは、該スプリットリングシール内に分割部分又は重なり部分を形成する、第１の端部３４と、第２の端部３６と、を有する。第１及び第２の端部３４、３６は、互いに相互係合可能であるか、又は様々な方法で入れ子にされ得る。好ましくは、第１及び第２の端部３４、３６は、互いに摺動可能に係合可能であり、これにより第１の端部は第２の端部に沿って且つ第２の端部に接触して摺動する。スプリットリングシールは、第１の直径を有する第１の位置と、第２の直径を有する第２の位置との間で移動可能である。又、スプリットリングシールは、環状体の長手方向軸と平行な方向の厚さＴSを有する。好ましくは、スプリットリングシールの厚さＴSは、約０．２から約０．５インチ（約０．５０８から約１．２７ｃｍ）である。
【００２１】
スプリットリングシール１６は、好ましくは、高デュロメータ硬さのエラストマー、又はＤ又はそれより高いショア硬さを有する硬質プラスチックなどの、硬質ポリマーで形成される。好ましくは、その硬質ポリマーは、限定されるものではないが、ポリプロピレン、超高分子量ポリエチレン、ポリフェニレンオキシド、ポリカーボネート、ポリスチレン、ポリ塩化ビニル、アクリロニトリル・ブタジエン・スチレン、スチレン・アクリロニトリル、ポリエチレンテレフタレート、メラミンホルムアルデヒド及び／又はこれらの組み合わせで形成される。硬質ポリマーは、好都合にも、チューブ状フィルタアセンブリをチューブ状圧力容器内へ又はチューブ状圧力容器外へ摺動させる際の摩擦力をより小さくすること、チューブ状圧力容器との位置あわせを確実にするためにスプリットリングシールの寸法を正確にすることをもたらし、その結果としてスプリットリングシール上の潤滑剤の必要性をなくす。
【００２２】
硬質ポリマーで形成されたスプリットリングシールの構造及び硬い性質により、スプリットリングシールはその環状の形状を保つ。従って、スプリットリングシールは、第１の直径を有する第１の位置と、第２の直径を有する第２の位置との間で移動するように曲げられることが可能である。即ち、スプリットリングシールは、該スプリットリングシールの摺動可能に係合可能な第１及び第２の端部によって、チューブ状フィルタアセンブリ上への組み付けのために曲がる（撓む）ことが可能であり、そしてチューブ状フィルタアセンブリの外周の周囲で倒れる（つぶれる）ことが可能である。しかし、チューブ状フィルタアセンブリ（例えば、チューブ状フィルタアセンブリのグランド）に組み付けられた際には、スプリットリングシールは、該スプリットリングシールの弾力性によって、半径方向外側に付勢されて弾性変形し（跳ね上がり）、チューブ状フィルタアセンブリ１４とチューブ状圧力容器１２の内壁との間に形成される環状のギャップ（間隙）を塞ぐ。好ましくは、スプリットリングシールは、チューブ状フィルタアセンブリとチューブ状圧力容器との間の環状のギャップの大部分を塞ぐように、より好ましくは、チューブ状圧力容器の内周面に直接接触するように、半径方向外側に弾性変形する。スプリットリングシールの柔軟性（可撓性）は、好都合にも、製造上の公差に起因して容器によって異なることのあるチューブ状圧力容器の内径に適合するように、スプリットリングシールが倒れて（つぶれて）その外径（全径）を小さくすることを可能にする。
【００２３】
図３Ａ及び図４Ｃに示すように、スプリットリングシール１６は、チューブ状フィルタアセンブリ１４の最外面の隆起を延ばすように構成される。例えば、典型的な直径１６”（４０．６４ｃｍ）のチューブ状フィルタアセンブリは、約１５．７５インチ（４０．００５ｃｍ）の外径を有するように構成することができ、約１５．８３から１５．９０インチ（約４０．２０８２から約４０．３８６ｃｍ）の外径を有するスプリットリングシールと共に組み立てることができる。従って、スプリットリングシールは、フィルタエレメントの最外面から、約０．０８０から約０．２５インチ（約０．２０３２から約０．６３５ｃｍ）、或いはチューブ状フィルタアセンブリの外径の約０．５％から約１．５％だけ、半径方向ＴRに延びるように構成される。
【００２４】
チューブ状フィルタアセンブリ１４の最外面は、ＡＴＤの第１及び第２の壁部の最外面２４ａ、２６ａであると見なすことができる（図４Ｄ）。スプリットリングシールは、ＡＴＤの最外面から半径方向に延びている。好ましくは、スプリットリングシールは、最外面２４ａ、２６ａから、ＡＴＤの外径（全径）の約０．５％から約１．５％だけ延びている。
【００２５】
図３、図４Ｃ及び図４Ｄは、ＡＴＤ１８のグランド２０内に取り付けられたスプリットリングシール１６を示す。グランド内に取り付けられた際には、スプリットリングシールは、その内面３０をグランドの第１の面２２に接触させる。又、図５Ｂに最も良く図示されているように、スプリットリングシールは、環状体２８の長手方向軸と実質的に平行な方向に環状体２８を貫通して延びる開口部３８を有する。開口部３８は、少量の液体供給流（供給液体の流れ）が、チューブ状フィルタアセンブリの外部の周囲を迂回（バイパス）することを可能にする。換言すれば、開口部は、一定量の液体供給流がチューブ状圧力容器を通って継続的に移動し、それによって生物学的残留物を蓄積又は形成させる可能性のあるどのような沈滞又は停滞した（淀んだ）液も防ぐように制御するようなサイズとされている。その結果として、開口部は、スプリットリングシールの背後での生物付着の成長及び蓄積を抑制する。好ましくは、開口部は、チューブ状圧力容器を通過する液体供給流量Ｑの約０．１％から約０．５％が通過することを可能にするようなサイズとされている。
【００２６】
図３Ａを再度参照すると、スプリットリングシール１６は、別法として、開口部３８を伴って又は伴わずに、凸面状の外面３２が圧力容器１２の内面４２から離間されるように構成することができる。好ましくは、スプリットリングシールは、内面から約０．０１インチから約０．０３インチ（約０．２５４ｍｍから約０．７６２ｍｍ）だけ離間される。より好ましくは、スプリットリングシールは、チューブ状圧力容器の長手方向軸に垂直な平面に沿った断面の全表面積の約０．０％から約１．５％のギャップ開口部を形成するのに十分なように、内面から離間される。或いは、スプリットリングシールは、圧力容器を通過する液体供給流量Ｑの約０．０％から約５．０％が通過することを可能にするように、圧力容器の内面から離間される。スプリットリングシールを圧力容器の内面からわずかに離間させることは、好都合にも、停滞した（淀んだ）液、及びその結果としての生物付着の成長及び蓄積を防ぐように、スプリットリングシールの領域の周囲でのチューブ状圧力容器を通した流体供給流（供給流体の流れ）を可能にする。又、スプリットリングシールの構造及び弾力性は、小管フィルタアセンブリとチューブ状圧力容器との間に形成される環状のギャップを更に小さくするように、スプリットリングシールが外側に弾性変形することを可能にする。
【００２７】
図５Ｂを再度参照すると、スプリットリングシール１６は、第１の面４４と、第１の面４４から延びる第１のフランジ４６と、を備えた第１の端部３４を有する。スプリットリングシールの第２の端部３６は、第２の面４８と、第２の面４８から延びる第２のフランジ５０と、を有する。第１の面４４は、好ましくは、第２の面４８と実質的に対向する（面する）ように構成される。第１のフランジは、スプリットリングシールの直径の範囲内での変動、及びＡＴＤ上への組み付けを可能にするように、第２のフランジと摺動して係合するように構成される。しかし、第１及び第２のフランジの各々は、好ましくは、第１のフランジ４６が第２の面４８から離間され及び／又は第２のフランジ５０が第１の面４４から離間されるように構成される。その結果として、第１のフランジ４６と第２の面４８との間、又は第２のフランジ５０と第１の面４４との間の間隔が、開口部３８を画成する。
【００２８】
図６は、本発明の他の態様によるスプリットリングシール１１６を示す。スプリットリングシール１１６は、第１の端部１３４と、第２の端部１３６と、を有する。第１の端部１３４は、第１の面１４４と、第１の面１４４から延びる溝１４６と、を有する。第２の端部１３６は、第２の面１４８と、第２の面１４８から延びるフランジ１５０と、を有する。溝１４６とフランジ１５０とは、さね継ぎ構造（舌部（さね）とそれを受ける溝部とによる接合構造）で入れ子になるように構成される。第１の面１４４は、第２の面１４８と実質的に対向する。
【００２９】
別法として、スプリットリングシールは、図７に示すように、Ｘリング（クワッドリング）２１６として構成することができる。
【００３０】
完全に組み立てられた状態では、図３及び図３Ａに最も良く図示されているように、スプリットリングシール１６は、チューブ状圧力容器を通って流れる供給流に対する障壁をもたらするように、チューブ状フィルタアセンブリ１４を囲み、チューブ状フィルタアセンブリの最外面の隆起を延ばしている。しかし、スプリットリングシールの開口部３８及び／又はチューブ状圧力容器の内壁面からの間隔によって、スプリットリングシールは、好都合にも、スプリットリングシールがチューブ状フィルタアセンブリの外部の周囲における供給流の通過を完全に妨げることがないようにする、ある程度の遊びを許す。従って、スプリットリングシールは、例えば供給流の停滞又は非乱流に起因した、スプリットリングシールに隣接する位置の周囲での潜在的な生物付着を抑制する。
【００３１】
更に他の態様において、本発明は、図８Ａから図８Ｃに示すような、らせん状に巻かれたエレメントのためのアンチテレスコーピングデバイス１１８を提供する。このアンチテレスコーピングデバイス１１８は、円筒体１１８ａを有し、概して、ＡＴＤ１８について上述したのと同様のディスク状形状を有するように構成される。円筒体１１８ａは、該円筒体１１８ａを囲むグランド１２０を有する。グランド１２０は、ＡＴＤ１８について上述したのと同様に構成される。
【００３２】
又、このアンチテレスコーピングデバイス１１８は、グランド内に配置されたブラインシール１１６を有する。ブラインシール１１６は、スプリットリングシール１６について上述したように構成することができ、或いはアンチテレスコーピングデバイスの一部として一体化して形成され、それによってフィールド（現場）又は使用の環境における取り扱いの複雑性を大幅に低減するように、グランド内に直接成形されるＯリングシール１１６として構成することができる。グランドは、第１の壁部１２４と、第１の横方向面１２２から半径方向外側に延びる第２の壁部１２６と、を有する。第１の横方向面１２２は、アンチテレスコーピングデバイスの長手方向軸と平行に延びている。ブラインシール１１６は、外側面１３３ａと、内側面１３３ｂと、を有し、好ましくはブラインシールの外側面１３３ａ及び内側面１３３ｂの少なくとも一方が第１の壁部１２４又は第２の壁部１２６のいずれかから離間されるように構成される。より好ましくは、ブラインシールの外側面１３３ａ及び内側面１３３ｂの両方が、それぞれ第１の壁部１２４及び第２の壁部１２６から離間されている。
【００３３】
上述の実施形態のスプリットリングシール１６又はブラインシール１１６は、濾過装置の生物付着を更に抑制するために、任意に殺生剤を含有するように構成することができる。本発明に適用可能な例示的な殺生剤としては、限定されるものではないが、洗剤（デタージェント）、染料、ハロゲン、重・貴金属、フェノール化合物、第４級アンモニウム化合物、及びシラン誘導体をベースとする殺生物剤（バイオサイド）を挙げることができる。好ましくは、殺生剤は、５−クロロ−２−（２，４−ジクロロフェノキシ）フェノール（これはトリクロサンとして知られている。）である。このような殺生剤は、スプリットリングシール１６又はブラインシール１１６を成型又は形成するために用いられる樹脂に直接化合（合成）及び／又は混合することができる。
【００３４】
本発明の広範な発明概念から逸脱することなく、上述した実施形態に対して変更が可能であることを、当業者は理解するであろう。従って、本発明は、開示されている特定の実施形態に限定されず、添付のクレームによって定義される本発明の精神及び範囲内の変更をカバーすることが意図されていることを理解されたい。
【図１】
0005386644.tif 000002
【図２】
0005386644.tif 000003
【図３】
0005386644.tif 000004
【図３Ａ】
0005386644.tif 000005
【図４Ａ】
0005386644.tif 000006
【図４Ｂ】
0005386644.tif 000007
【図４Ｃ】
0005386644.tif 000008
【図４Ｄ】
0005386644.tif 000009
【図５Ａ】
0005386644.tif 000010
【図５Ｂ】
0005386644.tif 000011
【図５Ｃ】
0005386644.tif 000012
【図５Ｄ】
0005386644.tif 000013
【図６】
0005386644.tif 000014
【図７】
0005386644.tif 000015
【図８Ａ】
0005386644.tif 000016
【図８Ｂ】
0005386644.tif 000017
【図８Ｃ】
0005386644.tif 000018